(57)【要約】乳幼児の臀部を受容するよう適合される部材、および乳幼児が横転するのを防ぐよう適合される外側縁から構成される装置が、乳幼児を扱うために提供される。外側縁は、カートリッジ方法で、複数のおむつストリップの少なくとも一つを支持するよう適合されるフランジが備わる。外側縁は折りたたみ式であり、したがって、装置は携帯することが可能である。【選択図】図１Ａ
2009533079.tif 000002
【特許請求の範囲】
【請求項１】
乳幼児の臀部を受容するよう適合される部材、
前記部材に設けられる外側縁、から構成され、
乳幼児は前記部材に寝かされ、前記外側縁は乳幼児が横転、回転、または落下するのを防ぐよう適合される、
乳幼児を扱うための装置。
【請求項２】
さらに、前記外側縁のそれぞれにはフランジが備わり、前記フランジは複数のおむつストリップの少なくとも一つを支持するよう適合される、請求項１に記載の装置。
【請求項３】
前記フランジは、前記おむつストリップに反対に接着するよう適合される接着面が備わる、請求項２に記載の装置。
【請求項４】
前記フランジは櫛状であり、および前記おむつストリップはフランジによって保持されるよう適合される、請求項２に記載の装置。
【請求項５】
前記部材は、複数の広げられた使用可能なおむつを受容できるよう、刻み目を有するよう設計される、請求項１に記載の装置。
【請求項６】
前記外側縁は折りたたみ式であり、前記部材の上に折りたたむよう適合される、請求項１に記載の装置。
【請求項７】
柔軟シートが前記外側縁の間に提供され、乳幼児は前記外側縁の間で、前記柔軟シートの上に置かれる、請求項６に記載の装置。
【請求項８】
柔軟シートは前記外側縁の一つずつと前記部材の間に提供される、請求項６に記載の装置。
【請求項９】
装置は、初期として配備された位置を確立できるよう、前記外側縁を外側に引くよう適合される弾性ストラップが備わる、請求項６に記載の装置。
【請求項１０】
前記部材は折りたたみ式の伸長部分が備わる、請求項６に記載の装置。
【請求項１１】
前記部材の部分の間に折り線が提供される、請求項１０に記載の装置。
【請求項１２】
前記部材は調節可能に広がるよう適合される、請求項１に記載の装置。
【請求項１３】
前記部材は互いに反対に引き出されるよう適合される二つの部分から構成される、請求項１２に記載の装置。
【請求項１４】
ティッシュの箱から引き出せるティッシュが通る穴が前記部材に提供される、請求項１に記載の装置。
【請求項１５】
装置にベビーペーストのパック用のホルダーが提供される、請求項１に記載の装置。
【請求項１６】
前記ホルダーは前記外側縁の一つにある穴である、請求項１５に記載の装置。
【請求項１７】
前記ホルダーはストラップである、請求項１５に記載の装置。
【請求項１８】
弾性部材が前記部材の下に提供される、請求項１に記載の装置。
【請求項１９】
前記弾性部材はスプリングである、請求項１８に記載の装置。
【請求項２０】
さらにヘッドレストが提供される、請求項１に記載の装置。
【請求項２１】
前記ヘッドレストは調節可能である、請求項２０に記載の装置。
【請求項２２】
前記ヘッドレストは取り外し可能である、請求項２１に記載の装置。
【請求項２３】
頭部固定具が提供される、請求項１に記載の装置。
【請求項２４】
回転基部が装置の下に提供される、請求項１に記載の装置。
【請求項２５】
前記部材および前記外側縁は、乳幼児が装置の上に置かれるとき、装置によって取り囲まれるよう設計される、請求項１に記載の装置。
【請求項２６】
前述の明細書、添付の図、および付随する特許請求の範囲に実質的に説明されたような、乳幼児を扱うための装置。
【発明の詳細な説明】
【技術分野】
【０００１】
本発明は、乳幼児用の装置に関する。より詳細には、本発明は乳幼児および乳児の扱い、特に乳幼児のおむつ替えの手助けをするよう適合される装置に関する。
【背景技術】
【０００２】
乳児の扱いは、最初の一年間を通して、そして特に生まれたばかりであれば、父母が生活の中で行う最も大変な仕事であることが多い。両親および特に母親は乳児とその扱いに過労し、困惑する。乳児を世話することは孤独で、またストレスの多い責任であり、両親、特に新米の親達は熟練しておらず、そして時には乳児に危害を与える恐れすらある。
【０００３】
日常生活で新生児を扱う両親の手助けをするための多くの製品が開発される。特別設計のバスタブ、乳児が睡眠中に正しい位置を保つような特別な装置、特殊なモニター、センサー、シェーカー、哺乳瓶の滅菌装置、ヒーターなどのようなものがある。
【０００４】
乳児の世話の中で最も頻繁に取り扱うものの一つは、乳児のおむつ替えである。おむつ替えは、室内、家、および屋外で行われる。乳児のおむつ替えは、特に屋外での場合は、ほとんどは専用のマットレスに乳児を置いて行われる。しかしマットレスは、単に乳児の背中に柔らかく当たるだけの薄くやわらかい素材でたいてい作られるが、扱う間中、乳児が転がるのを防ぐ境界を作るような、扱いを手助けする役目はない。
【０００５】
乳児を扱う間しっかりと固定されることができるような、乳児の世話をする保育者の手助けをする手段が提供される必要がある。さらに、携帯式かつ家庭での扱いの便利性をすべて備えて屋外でも使用される、扱い中に乳児の位置が決められる装置が提供される必要がある。
【発明の開示】
【０００６】
本発明の目的は、乳幼児の扱い、特におむつ替えのための装置を提供することである。
【０００７】
本発明の他の目的は、乳児の世話の手助けをする備品が備わる、乳児のおむつ替えのための装置を提供することである。
【０００８】
加えて、本発明の他の目的は乳児に安定性を与えることであり、特に乳児が世話中に転がることを防ぐ手段を提供することである。
【０００９】
本発明のまた他の目的は、携帯式で、どこでも容易に配備できる乳幼児の世話をするための装置を提供することである。
【００１０】
従って、本発明の好適な実施例により、
乳幼児の臀部を受容するよう適合される部材、
前記部材に設けられる外側縁から構成され、
乳幼児は前記部材に寝かされ、前記外側縁は乳幼児が横転、回転、落下することを防ぐよう適合される、
乳幼児を扱うための装置が提供される。
【００１１】
さらに、および本発明の他の好適な実施例により、装置はさらに前記外側縁のそれぞれにフランジが備わり、前記フランジは複数のおむつストリップの少なくとも一つを支持するよう適合される。
【００１２】
さらに、本発明の他の好適な実施例により、前記フランジは前記おむつストリップに反対に接着するよう適合される接着面が備わる。
【００１３】
さらに、本発明の他の好適な実施例により、前記フランジは櫛状であり、前記おむつストリップはフランジによって保持されるよう適合される。
【００１４】
さらに、本発明の他の好適な実施例により、前記部材は複数の広げられた使用可能なおむつを受容できるよう、刻み目を有するよう設計される。
【００１５】
さらに、本発明の他の好適な実施例により、前記外側縁は折りたたみ式で、前記部材の上に折りたたむよう適合される。
【００１６】
さらに、本発明の他の好適な実施例により、前記外側縁の間に柔軟性シートが提供され、乳幼児は外側縁の間で、前記柔軟性シート上に置かれる。
【００１７】
さらに、本発明の他の好適な実施例により、柔軟性シートは前記外側縁の一つずつと前記部材の間に提供される。
【００１８】
さらに、本発明の他の好適な実施例により、装置は配備された初期位置を確定できるよう、前記外側縁を外側に向かって引くよう適合される弾性ストラップが備わる。
【００１９】
さらに、本発明の他の好適な実施例により、前記部材は折りたたみ式の伸張部分が備わる。
【００２０】
さらに、本発明の他の好適な実施例により、前記部材には部分の間に折り線が提供される。
【００２１】
さらに、本発明の他の好適な実施例により、前記部材は調節可能に広げられるよう適合される。
【００２２】
さらに、本発明の他の好適な実施例により、前記部材は互いに反対側に引き出されるよう適合される二つの部分から構成される。
【００２３】
さらに、本発明の他の好適な実施例により、ティッシュの箱から引き出されたティッシュが通る穴が前記部材に提供される。
【００２４】
さらに、本発明の他の好適な実施例により、ベビーペースト（ペースト状のベビーフード）の容器用ホルダーが装置に提供される。
【００２５】
さらに、本発明の他の好適な実施例により、前記ホルダーは前記外側縁の一つにある穴である。
【００２６】
さらに、本発明の他の好適な実施例により、前記ホルダーはストラップである。
【００２７】
さらに、本発明の他の好適な実施例により、弾性部材は前記部材の下に提供される。
【００２８】
さらに、本発明の他の好適な実施例により、前記弾性部材はスプリングである。
【００２９】
さらに、本発明の他の好適な実施例により、ヘッドレストがさらに提供される。
【００３０】
さらに、本発明の他の好適な実施例により、前記ヘッドレストは調節可能である。
【００３１】
さらに、本発明の他の好適な実施例により、前記ヘッドレストは取り外し可能である。
【００３２】
さらに、本発明の他の好適な実施例により、頭部固定具が提供される。
【００３３】
さらに、本発明の他の好適な実施例により、前記部材および前記外側縁は、乳幼児が装置に置かれるとき、装置によって取り囲まれるよう設計される。
【００３４】
加えて、本発明の他の好適な実施例により、回転基部が装置の下に提供される。
【発明を実施する最良の形態】
【００３５】
本発明は乳幼児の扱い、および特におむつ替えの手助けをする、新規かつ独自の装置を提供する。本発明は屋外同様、室内での乳児を扱う問題を解決する。本発明の一態様により、装置は乳幼児の姿勢に適する形に形成されており、複数のおむつが上に積載されるカートリッジが備わる。本発明の目的および他の態様により、乳幼児が扱われるため上に置かれる主要部材は、前もって準備された使用可能な複数のおむつを受容するよう適合される、刻み目を有するよう設計される。本発明の他の態様により、装置は乳幼児の大きさに合わせて、または一人以上の子供に合わせて寸法を変えるよう調節が可能である。
【００３６】
本発明のまた他の態様により、乳幼児を扱うための装置は、保育者が屋外に出るときに装置を持って運べるよう、折りたたみ式および携帯式であることが可能である。
【００３７】
本発明に開示されるすべての場合では、乳幼児が背中を固定されるとき扱いを手助けするような、乳児が横転や回転するのを防ぐ手段が装置にある。
【００３８】
装置は、乳幼児が装置に置かれるときに取り囲まれるよう設計されていることに注目すべきである。この特徴は、扱い中に乳幼児に安全と安心感をしっかりと与えることができる。
【００３９】
ここで、本発明の好適な実施例による、乳幼児を扱うための装置の等角図を示す図１が参照される。乳児のおむつ替えの装置１０（図１Ａに図示）は、乳幼児の臀部に合うよう適合される部材１２から構成される。
部材１２は、保育者を助けるよう、乳幼児が横転、回転、および部材１２からの落下を防ぐよう適合され、かつ動きを制限するような、相対する外側縁１６が備わる。
【００４０】
選択的に、装置１０は、ベルト１８および乳幼児の胴体または腹部がくるべき関連する位置にある、対応するバックル２０が備わる。ベルトは、保育者がほんの少しその場を離れたい場合、または乳児が装置に固定されるときにより安全性を求める場合に、選択的に使用される。
【００４１】
選択的に、装置１０は、装置の外側縁１６の両側にフランジ２４が備わる。図１Ｂはフランジ範囲の拡大図である。フランジ２４は、カートリッジとしての機能があり、複数のおむつの一部を保持するよう適合される。装置は、乳児のおむつ替えのとき、装置上で広げられて使用可能な綺麗なおむつがすでにあるよう、あらかじめ複数のおむつが準備されることが可能である。上記のように、フランジは、複数の前もって準備されたおむつを保持するためのホルダーまたはカートリッジ状の部材としての機能を持つ。乳児は、装置の上の使用可能な最上部のおむつの上に置かれる。図示される実施例では、フランジ２４はそれぞれ、縁１６にピン２８で片端が接続された複数の平列するリーフ２６から構成される。リーフ２６はそれぞれ、対応する接着面３０が備わるおむつのエッジ３２を折りたたむよう適合される、接着面（接着面は図示せず）が備わることが好ましい。面３０は、おむつに設けられる標準のエッジ面である。リーフのための接着面の例は、スコッチテープである。
【００４２】
装置は前もって開かれた複数のおむつを積載し、カートリッジ状の部材としても機能することが可能であると理解されることが重要である。
【００４３】
図１Ｃは装置１０に組み込まれることができる、選択的なフランジを示す。櫛状の部材３４は、前述で説明されたようなおむつのエッジ３２が接着する範囲内に複数のスリット３６が備わる。
【００４４】
図１Ａに戻って、一枚のおむつ３８または複数のおむつが装置１０に積載されることが可能である。乳児を清潔にした後新しいおむつをあてようとするとき、保育者は、フランジ２４から最上部のおむつのエッジ３２を取り外し、通常の方法で適切な場所にストリップを貼り付けるだけでよい。
【００４５】
ここでは、異なる状態で乳児のおむつを替えるための、折り畳み式装置の等角図を示す図２が参照される。乳児のおむつ替えのための装置１００は、フォルダー（紙ばさみ）式の平たい構造を作るよう、順に重ねて畳まれるよう適合される三つの部分から構成される。折りたたみ構造は、広げられて使用可能な少なくとも一枚のおむつで装置を準備することも可能である。図２Ａは、ヒンジを設置するよう二つの折り線１０２が設けられた折りたたみ式装置を示す。
【００４６】
二つの折り線は選択的および基本的なものであり、装置はこの後示される他の方法で折りたたみ可能ということが、注目されるべきである。
【００４７】
図２Ｂは折りたたみ式装置１００が部分的に開いた、中間的な状態を示す。右縁部分１０４は、適合する折り線１０２に沿って、第一外側縁を設置するよう回転される。折り線１０２は、さらに回転して底部から離れるのを防ぐようストッパー１０５を使用して固定される。次に、左縁部分１０６が反対の縁を構築するよう上方に動かされる。基部１０８は乳児を支えるのに使用される。
【００４８】
図２Ｃは装置１００が完全に開いた状態を示す。本文中に前述したように、前もって準備されたおむつ１１１は装置に提供される。フランジ１１２は、接着面１１６が備わるおむつのエッジ１１８に接着されるよう適合される接着面が備わるリーフ１１４を拡大して表示される。装置は、同様の接着面、またはスコッチテープまたはボタンなどのような他の手段を使用する折り畳み式方法で、選択的に固定されることが可能である。折りたたみ式部分は、比較的丈夫な材料で作られるが、しかし弾力性ある材料で作られることも可能である。
【００４９】
選択的に、ここに前述して示されたものと同様のカートリッジが備わることにより、携帯式装置内で、複数のおむつが広げられた方法で提供されることも可能である。
【００５０】
高柔軟性シート１２０は部分の間に提供され、乳児はこのシートの一番上に置かれる。シートの材料は、折りたたみ式部分が作られる材料よりもっと柔軟なものであることが好ましく、乳児が回転および横転するのを防ぐクレードル（ゆりかご）としての機能を持つ。
【００５１】
そのような柔軟性シートは、本文中に示されるような必ずしも携帯式でない装置にも提供可能である。
【００５２】
選択的に、装置は上に乳児が置かれる主要面の下に小さな支持脚が備わることが可能である。 乳幼児が比較的柔軟性のある装置上に置かれるとき、乳児の重さによって、乳幼児がやや取り囲まれ安全になるよう、縁が互いに近づくように中央部分が下がる。
【００５３】
選択的に、二つの傾斜した柔軟性シートは、乳児が装置に置かれるときに包囲するＶ字型に、装置に縫いつけられることが可能である。
【００５４】
折りたたみ式装置は、装置に運搬特徴を与えることができるよう、持ち運びが簡単なポリマー材料で作られるよう適合されることが好ましい。折りたたみ式装置は、単独での使用または複数の使用に適合されることが可能である。
【００５５】
ヘッドレストは、乳児の大きさに従った装置に接続されるよう、様々な寸法で携帯式装置に提供されることが可能である。
【００５６】
ここでは、本発明の他の好適な実施例による乳幼児のおむつ替えのための調節可能な装置の等角図を示す図３が参照される。この実施例は装置１０とほぼ同様であるが、本実施例には調節できる特徴が導入された。装置２００は部材２０２および外側縁２０４から構成され、部材２０２は調節可能に広がるよう適合される。部材２０２は側面に沿って２０２ａ、２０２ｂの二つの部分に分けられ、両方の部分に陥凹が互いに向き合って、相対して設けられる。
【００５７】
部分２０２ａには三つの陥凹２０６（陥凹は垂直に図示）が提供され、陥凹の開口は部分２０２ｂに向き合う部分の縁にある。同様に、部分２０２ｂには陥凹２０６に相対して位置する三つの陥凹２０８が備わる。二つの部分を接続し、二つの部分２０２ａおよび２０２ｂを制御方法で既定の範囲に互いに分けることができるように、二つの相対する陥凹２０６と２０８ごとにバー２１０が提供され、挿入される。部分の調節は、部材２０２の両側に示される矢印２１２に従って実行される。
【００５８】
部材は、本発明の範囲を逸脱しない範囲で、装置の側面を調節可能にする他の種類の構造が備わることが可能である。
【００５９】
ここでは、本発明のまた他の好適な実施例による乳幼児を扱うための装置の等角図を示す図４が参照される。装置３００は、基本的には装置１００と同様である。
しかし、装置３００は、他の部材および特に乳児の臀部が置かれることが好ましい部材３０１とともに、傾斜または直立されることができるよう調節可能なヘッドレスト３０２が備わる。ヘッドレストが傾斜される場合は、カバー３０５が備わる引き出し３０３が、その下に提供されることが可能である（ページの右上部隅に図示）。ヘッドレストは全体または部分的に柔らかい素材で作られること、またはクッションが組み込まれることが可能である。
【００６０】
選択的に、図４に示されるように、部材３０１は、使用のため前もって準備された複数のおむつを受容できるよう刻み目を有するように設計される。そのような刻み目は、本発明の装置の他の部材のいずれか一つに提供されることが可能であることに、注目すべきである。
【００６１】
選択的に、装置３００の適切な位置に、ティッシュのための適切な位置が提供される。ティッシュ３０６は表面３０８の下に位置する詰め替えボックス３０４に設置され、詰め替えられるよう、矢印３０５によって示されるように取り除かれることが可能である。標準詰め替えボックスは表面３０８の下に、表面の穴３０９を通してティッシュを使用できるよう選択的に提供される。ティッシュ３０６は、他の既知のティッシュ箱技術で使用されるように、一枚ずつ箱から引き出されることが可能である。ティッシュ箱の装置への固定には、箱への支持力が与えられる。従って、保育者は片手のみを使って箱からティッシュを引き出すことができる。これにより、おむつ替えの前に乳児を清潔にする手助けがなされる。
【００６２】
ティッシュは、ウェットティッシュやドライティッシュなど、乳児用に使用されるあらゆるタイプが可能なことが、言及されるべきである。
【００６３】
装置３００に選択的に提供されることが可能な他の付属品は、ベビーペースト３１０が備わるチューブを設置する場所である。乳児のおむつ替えの過程で使用される付属品が装置に組み込まれるまたは包括されることは、保育者が乳児を扱う手助けとなる。チューブ３１０には、ベビーペーストが分注されて通るノズル３１４を有するカバー３１２が備わる。ベビーチューブは専用の穴３１５（図３に明示）を通して装置に組み込まれる。選択的に、スクイーザー３１６が、乳児の世話をさらに促進するために使用される。穴３１５は装置の外側縁２０４に接続されることが好ましい。
【００６４】
ここでは、本発明の他の好適な実施例による、頭部固定具が備わる乳幼児を扱うための装置の等角図を示す図５を参照される。装置４００は、その機能を改良するよう、前記に示された装置に組み込める追加的な二つの特徴が備わる。スプリング４０２のような弾性要素が、装置に動きを与えるよう装置の下部に選択的に提供される。 装置は、装置を動かすことにより泣いている乳児をなだめるため、矢印４０３の方向に上下に揺することが可能である。スプリング４０２は、装置がさらに動いてしまうのを防ぐよう、スプリングを固定する手段が備わることが可能である。
【００６５】
頭部固定具４０４は装置４００に提供される。頭部固定具４００はヘッドレスト４０６に接着または非接着可能で、例えば注射器を通して薬が与えられるときや、乳児の頭部が固定されることを保育者が必要とするときなど、乳児の頭部を固定する必要にせまられたときに使用される。
【００６６】
赤ちゃんモビール４０５などの乳幼児の付属品が装置に追加されることが可能である。
【００６７】
ここでは、本発明の追加的好適な実施例による、乳幼児を扱うための装置の等角図を示す図６が参照される。装置５００は前述された実施例で前に示されたもののいずれかに類似する。矢印５０４に従って装置を回転させるように、回転基部５０２が装置の下に提供される。
【００６８】
乳児の臀部の下に適合される部材に、軽い刻み目が選択的に提供可能であることに注目すべきである。刻み目は、万が一の何度もおむつ替えのため前もって準備される複数のおむつが必要となるのに備えて、順に重ねた複数のおむつを受容するよう適合される。
【００６９】
ここでは、本発明の好適な実施例による、乳幼児を扱うための折りたたみ式装置の等角図を示す図７が参照される。乳幼児を扱うための折りたたみ式装置６００は縦長に伸長する三つの部分が備わる。二つの折りたたみ線６０２は、たたまれるときに（図７Ａ）装置にフォルダー状の構造を提供するために備わる。乳児（図には図示せず）は、臀部が部材６０６のほぼ上に置かれるよう装置に沿って位置される。最も重要なこととして、二つの相対する外側縁６０４もまた折りたたまれ、本文中の別の実施例中に示されるように、二つの縁を構築するため配置されることが可能である。縁６０４は、縁と部材の間に提供されるストッパー６０８を通って、部材６０６に対して約９０度の角度に位置するよう適合される。ストッパー６０８はまた、前述で説明されたように、乳幼児を取り囲むよう設計されることが好ましい。この目的のため、おむつは単独で使用されることも注目すべきである。
【００７０】
外側縁６０４はまた、以前に検討されたように、フランジ６０５が備わる。
【００７１】
選択的に装置は、開放位置に配備および伸長されるとき、外側縁６０４を直立位置に配置させるよう適合される弾性ストラップ６１０が備わる。これは初期位置である。この特徴により、二つの伸長部分６１２および６１４を開くことにのみ関連する装置を、保育者が配備することが促進される。
【００７２】
選択的に、装置はベビーペーストチューブ６１８を保持するために適合されるバンド６１６が備わる。
【００７３】
選択的に、装置は部分６１４に本文中に前述されたように配備されうるティッシュが通る穴６１０が備わることが可能である。
【００７４】
選択的に、本発明の好適な実施例による折りたたみ式装置は、装置そのものを運ぶ手助けをするよう適合されるストラップの提供が可能である。
【００７５】
装置が広げられて使用準備が整うときに、音楽が流れる手段が備わることが可能である。
【００７６】
選択的に、装置は、主要本体が異なる幅で作られるときにスポンジまたは他の柔らかい素材が挿入されて提供可能である。これは、家庭で使用される装置同様、携帯用装置に適用される。様々なタイプの布地が、装置を覆うために使用されることが可能である。
【００７７】
選択的に、装置は開かれるとき、または保育者が使用したいときに、使用可能な位置に膨張されるよう設計可能である。
【００７８】
装置は、乳幼児の世話の手助けをするよう適合される、業界で既知の様々な他の手段が提供可能であることが、加えられなければならない。そのような手段は、哺乳瓶、娯楽手段を接着させるよう適合されるスコッチテープ、音楽手段などのために設置されることが可能である。これにより装置は、安定した携帯型であろうと、すべての必要な器具および設備が一つの装置で提供できる。
【００７９】
本明細書に記載の実施例の説明および添付された図は、追随する特許請求の範囲によって含まれる範囲を制限することなく、本発明をより理解するためのみに提示されたものであることが、明確にされなければならない。
【００８０】
また、本発明を読んだ上で、同業者により添付の図および上記の実施例に調節や補正がなされることが可能であり、追随する特許請求の範囲によってなお含まれうることも明確にされなければならない。
【図面の簡単な説明】
【００８１】
本発明をよりよく理解およびその実施適用を理解するために、追随する図が添付されここに参照される。同種の構成材は同種の参照の数字によって示される。
【００８２】
図面は例および好適な実施例としてのみ提示されるものであり、付随する詳細および特許請求の範囲に定められたものとして本発明の範囲を制限するものではないことが注目されるべきである。
【００８３】
【図１】本発明の好適な実施例による、乳幼児を扱うための装置の等角図である。
【図２】本発明の好適な実施例による、乳幼児を扱うための折りたたみ式装置の等角図である。
【図３】本発明の他の好適な実施例による、乳幼児を扱うための調節可能な装置の等角図である。
【図４】本発明のまた他の好適な実施例による、乳幼児を扱うための装置の等角図である。
【図５】本発明の他の好適な実施例による、頭部固定具が備わる乳幼児を扱うための装置の等角図である。
【図６】本発明の追加の好適な実施例による、乳幼児を扱うための装置の等角図である。
【図７】本発明の他の好適な実施例による、乳幼児を扱うための折りたたみ式装置の、等角図および折りたたみ図である。
【符号の説明】
【００８４】
１０．    装置
１２．    部材
１６．    外側縁
１８．    ベルト
２０．    バックル
２４．    フランジ
２６．    リーフ
２８．    ピン
３０．    接着面
３２．    おむつのエッジ
３４．    くし状部材
３６．    スリット
３８．    おむつ
１００．  装置（折りたたみ式）
１０２．  折り線
１０４．  右縁部分
１０５．  ストッパー
１０６．  左縁部分
１０８．  基部
１１１．  おむつ
１１２．  フランジ
１１４．  リーフ
１１６．  接着面
１１８．  おむつのエッジ
１２０．  柔軟性シート
２００．  装置（調節可能）
２０２．  部材
２０２ａ．部分
２０２ｂ．部分
２０４    外側縁
２０６．  陥凹
２０８．  陥凹
２１０．  バー
２１２．  矢印
３００．  装置
３０１．  部材
３０２．  ヘッドレスト
３０３．  引き出し
３０４．  詰め替えボックス
３０５．  カバー
３０６．  ティッシュ
３０８．  表面
３０９．  穴
３１０．  チューブ
３１２．  カバー
３１４．  ノズル
３１５．  穴
３１６．  スクイーザー
４００．  装置
４０２．  スプリング
４０３．  矢印
４０４．  頭部固定具
４０５．  モビール
４０６．  ヘッドレスト
５００．  装置
５０２．  回転基部
５０４．  矢印
６００．  装置
６０２．  折りたたみ線
６０４．  外側縁
６０５．  フランジ
６０６．  部材
６０８．  ストッパー
６１０．  弾性ストラップ
６１２．  伸長部分
６１４．  伸長部分
６１６．  バンド
６１８．  ベビーペーストチューブ
【図１Ａ】
2009533079.tif 000003
【図１Ｂ】
2009533079.tif 000004
【図１Ｃ】
2009533079.tif 000005
【図２Ａ】
2009533079.tif 000006
【図２Ｂ】
2009533079.tif 000007
【図２Ｃ】
2009533079.tif 000008
【図３】
2009533079.tif 000009
【図４】
2009533079.tif 000010
【図５】
2009533079.tif 000011
【図６】
2009533079.tif 000012
【図７Ａ】
2009533079.tif 000013
【図７Ｂ】
2009533079.tif 000014
【国際調査報告】
2009533079.tif 000015